(57)【特許請求の範囲】
【請求項１】
複数の画像のうち選択された選択画像を表示部に表示する表示処理と、
前記選択画像が前記表示部に表示されている状態で前記選択画像に含まれる物体のエッジに基づいてユーザが入力した第１入力を取得する取得処理と、
前記選択画像上の前記第１入力の位置に基づく認証情報と前記選択画像とを記憶部に記憶する記憶処理と、
前記選択画像が前記表示部に表示されている状態でユーザが入力した第２入力と前記認証情報とに基づいて前記ユーザを認証する認証処理とをコンピュータに実行させるプログラムであって、
複数の前記認証情報は、第１機能に関連付いている第１認証情報と第２機能に関連付いている第２認証情報とを少なくとも含み、
前記認証処理は、前記第２入力と前記第１認証情報とが一致すると判定する場合、ユーザによる前記第１機能の利用を認証し、前記第２入力と前記第２認証情報とが一致すると判定する場合、前記ユーザによる前記第２機能の利用を認証するプログラム。
【請求項２】
請求項１に記載のプログラムにおいて、
前記物体のエッジは、前記物体の輪郭であり、
前記取得処理は、前記物体の輪郭に沿って前記ユーザが入力した前記第１入力を取得するプログラム。
【請求項３】
請求項２に記載のプログラムにおいて、
前記選択画像は撮像部によって撮像された画像であり、
前記取得処理は、前記撮像部によって撮像された画像に含まれる被写体の輪郭に沿って前記ユーザが入力した前記第１入力を取得するプログラム。
【請求項４】
請求項１に記載のプログラムにおいて、
前記第１入力又は前記第２入力は、ユーザが前記表示部に接触し、前記接触している位置を移動して入力されるプログラム。
【請求項５】
請求項４に記載のプログラムにおいて、
前記表示処理は、前記接触している位置の移動に基づく線を前記選択画像に重畳して前記表示部に表示するプログラム。
【請求項６】
請求項１、４および５の何れか一項に記載のプログラムにおいて、
前記表示処理は、前記複数の画像をサムネイルで前記表示部に表示するプログラム。
【請求項７】
請求項１、４および５の何れか一項に記載のプログラムにおいて、
前記表示処理は、前記複数の画像のうち前記表示部に表示する画像を切り替えて表示するプログラム。
【請求項８】
請求項１、４から７の何れか一項に記載のプログラムにおいて、
前記表示処理は、ユーザの認証を行う度に前記複数の画像の順序を異ならせて前記表示部に表示するプログラム。
【請求項９】
請求項１、４から８の何れか一項に記載のプログラムにおいて、
前記認証処理は、前記複数の画像のうちユーザが選択した前記選択画像と前記第２入力と前記認証情報とに基づいて前記ユーザを認証するプログラム。
【請求項１０】
複数の画像のうち選択された選択画像を表示部に表示する表示処理と、
前記選択画像が前記表示部に表示されている状態で前記選択画像に含まれる物体のエッジに基づいてユーザが入力した第１入力を取得する取得処理と、
前記選択画像上の前記第１入力の位置に基づく認証情報と前記選択画像とを記憶部に記憶する記憶処理と、をコンピュータに実行させるプログラムであって、
前記表示処理は、前記選択画像のエッジを強調して前記表示部に表示するプログラム。
【請求項１１】
請求項１から請求項１０の何れか一項に記載のプログラムを備える電子機器。
【請求項１２】
複数の画像のうち選択された選択画像を表示部に表示させ、前記選択画像が前記表示部に表示されている状態で前記選択画像に含まれる物体のエッジに基づいてユーザが入力した第１入力の位置に基づく認証情報と前記選択画像とを記憶部に記憶させる制御部を備え、
前記制御部は、前記選択画像を前記表示部に表示させ、前記選択画像が前記表示部に表示されている状態でユーザが入力した第２入力と前記認証情報とに基づいて前記ユーザを認証部に認証させ、
前記制御部は、前記選択画像と複数の前記認証情報とを関連付けて前記記憶部に記憶させ、
複数の前記認証情報は、第１機能に関連付いている第１認証情報と第２機能に関連付いている第２認証情報とを少なくとも含み、
前記制御部は、前記第２入力と前記第１認証情報とが一致すると判定する場合、ユーザによる前記第１機能の利用を前記認証部に認証させ、前記第２入力と前記第２認証情報とが一致すると判定する場合、前記ユーザによる前記第２機能の利用を前記認証部に認証させる認証装置。
【請求項１３】
請求項１２に記載の認証装置において、
前記物体のエッジは、前記物体の輪郭であり、
前記制御部は、前記物体の輪郭に沿って前記ユーザが入力した前記第１入力の位置に基づく前記認証情報を前記記憶部に記憶させる認証装置。
【請求項１４】
請求項１３に記載の認証装置において、
前記選択画像は撮像部によって撮像された画像であり、
前記制御部は、前記撮像部によって撮像された画像に含まれる被写体の輪郭に沿って前記ユーザが入力した前記第１入力の位置に基づく前記認証情報を前記記憶部に記憶させる認証装置。
【請求項１５】
請求項１２に記載の認証装置において、
前記第１入力又は前記第２入力は、ユーザが前記表示部に接触し、前記接触している位置を移動して入力される認証装置。
【請求項１６】
請求項１５に記載の認証装置において、
前記制御部は、前記接触している位置の移動に基づく線を前記選択画像に重畳して前記表示部に表示させる認証装置。
【請求項１７】
請求項１２、１５および１６の何れか一項に記載の認証装置において、
前記制御部は、前記複数の画像をサムネイルで前記表示部に表示させる認証装置。
【請求項１８】
請求項１２、１５および１６の何れか一項に記載の認証装置において、
前記制御部は、前記複数の画像のうち前記表示部に表示する画像を切り替えて表示させる認証装置。
【請求項１９】
請求項１２、１５から１８の何れか一項に記載の認証装置において、
前記制御部は、ユーザの認証を行う度に前記複数の画像の順序を異ならせて前記表示部に表示させる認証装置。
【請求項２０】
請求項１２、１５から１９の何れか一項に記載の認証装置において、
前記制御部は、前記複数の画像のうちユーザが選択した前記選択画像と前記第２入力と前記認証情報とに基づいて前記ユーザを前記認証部に認証させる認証装置。
【請求項２１】
複数の画像のうち選択された選択画像を表示部に表示させ、前記選択画像が前記表示部に表示されている状態で前記選択画像に含まれる物体のエッジに基づいてユーザが入力した第１入力の位置に基づく認証情報と前記選択画像とを記憶部に記憶させる制御部を備え、
前記制御部は、前記選択画像のエッジを強調して前記表示部に表示させる認証装置。
【請求項２２】
請求項１２から請求項２１の何れか一項に記載の認証装置を備える電子機器。
【発明の詳細な説明】
【技術分野】
【０００１】
本発明は、個人認証装置に関する。
【背景技術】
【０００２】
パーソナルコンピュータやスマートフォン、携帯電話などの情報機器において、パスワード等の入力による利用者の個人認証が行われている。例えば特許文献１には、入力位置と軌跡の繰り返し情報を用いて認証を行う技術が記載されている。
【先行技術文献】
【特許文献】
【０００３】
【特許文献１】特開２００９−２１１４３６号公報
【発明の概要】
【発明が解決しようとする課題】
【０００４】
特許文献１に記載の発明は、軌跡の繰り返し回数を覚えておく必要があり、また入力開始位置が認証の度に変化するため、ユーザにとって使いにくいという問題があった。
【課題を解決するための手段】
【０００５】
請求項１に記載のプログラムは、複数の画像のうち選択された選択画像を表示部に表示する表示処理と、前記選択画像が前記表示部に表示されている状態で前記選択画像に含まれる物体のエッジに基づいてユーザが入力した第１入力を取得する取得処理と、前記選択画像上の前記第１入力の位置に基づく認証情報と前記選択画像とを記憶部に記憶する記憶処理と、前記選択画像が前記表示部に表示されている状態でユーザが入力した第２入力と前記認証情報とに基づいて前記ユーザを認証する認証処理とをコンピュータに実行させるプログラムであって、複数の前記認証情報は、第１機能に関連付いている第１認証情報と第２機能に関連付いている第２認証情報とを少なくとも含み、前記認証処理は、前記第２入力と前記第１認証情報とが一致すると判定する場合、ユーザによる前記第１機能の利用を認証し、前記第２入力と前記第２認証情報とが一致すると判定する場合、前記ユーザによる前記第２機能の利用を認証する。
請求項１０に記載のプログラムは、複数の画像のうち選択された選択画像を表示部に表示する表示処理と、前記選択画像が前記表示部に表示されている状態で前記選択画像に含まれる物体のエッジに基づいてユーザが入力した第１入力を取得する取得処理と、前記選択画像上の前記第１入力の位置に基づく認証情報と前記選択画像とを記憶部に記憶する記憶処理と、をコンピュータに実行させるプログラムであって、前記表示処理は、前記選択画像のエッジを強調して前記表示部に表示する。
請求項１１に記載の電子機器は、請求項１から請求項１０の何れか一項に記載のプログラムを備える。
請求項１２に記載の認証装置は、複数の画像のうち選択された選択画像を表示部に表示させ、前記選択画像が前記表示部に表示されている状態で前記選択画像に含まれる物体のエッジに基づいてユーザが入力した第１入力の位置に基づく認証情報と前記選択画像とを記憶部に記憶させる制御部を備え、前記制御部は、前記選択画像を前記表示部に表示させ、前記選択画像が前記表示部に表示されている状態でユーザが入力した第２入力と前記認証情報とに基づいて前記ユーザを認証部に認証させ、前記制御部は、前記選択画像と複数の前記認証情報とを関連付けて前記記憶部に記憶させ、複数の前記認証情報は、第１機能に関連付いている第１認証情報と第２機能に関連付いている第２認証情報とを少なくとも含み、前記制御部は、前記第２入力と前記第１認証情報とが一致すると判定する場合、ユーザによる前記第１機能の利用を前記認証部に認証させ、前記第２入力と前記第２認証情報とが一致すると判定する場合、前記ユーザによる前記第２機能の利用を前記認証部に認証させる認証装置。
請求項２１に記載の認証装置は、複数の画像のうち選択された選択画像を表示部に表示させ、前記選択画像が前記表示部に表示されている状態で前記選択画像に含まれる物体のエッジに基づいてユーザが入力した第１入力の位置に基づく認証情報と前記選択画像とを記憶部に記憶させる制御部を備え、前記制御部は、前記選択画像のエッジを強調して前記表示部に表示させる。
請求項２２に記載の電子機器は、請求項１２から請求項２１の何れか一項に記載の認証装置を備える。
【発明の効果】
【０００６】
本発明によれば、ユーザにとって使いやすい個人認証装置を提供することができる。
【図面の簡単な説明】
【０００７】
【図１】本発明の第１の実施の形態に係るデジタルカメラ１の外観を示す斜視図である。
【図２】本発明の第１の実施の形態に係るデジタルカメラ１の構成を示すブロック図である。
【図３】認証情報の登録手順を模式的に示す図である。
【図４】認証情報の詳細を示す図である。
【図５】認証情報の登録処理のフローチャートである。
【図６】個人認証処理のフローチャートである。
【図７】認証情報の登録処理のフローチャートである。
【図８】個人認証処理のフローチャートである。
【発明を実施するための形態】
【０００８】
以下、本発明による個人認証装置を備えたデジタルカメラを一例として、実施形態を説明する。
【０００９】
（第１の実施の形態）
図１は、本発明の第１の実施の形態に係るデジタルカメラ１の外観を示す斜視図である。デジタルカメラ１の筐体背面には、撮影画像や設定画面を表示する液晶パネル１１が設けられている。液晶パネル１１の表面には、例えば静電容量方式のタッチパネル１２が積層されている。利用者は液晶パネル１１に指などを接触させることにより、デジタルカメラ１の各種操作を行うことができる。
【００１０】
デジタルカメラ１の筐体上面には、電源スイッチ１３およびレリーズスイッチ１４が設けられている。また、デジタルカメラ１の筐体背面には、種々の操作を行うための操作部材１５が設けられている。利用者はタッチパネル１２の他に、これらの操作部材１５を用いてデジタルカメラ１の操作を行うこともできる。
【００１１】
図２は、本発明の第１の実施の形態に係るデジタルカメラ１の構成を示すブロック図である。デジタルカメラ１の筐体前面（液晶パネル１１が設けられている面の反対側の面）には、被写体像を結像させる結像光学系２１が設けられている。結像光学系２１の予定焦点面近傍には、例えばＣＣＤやＣＭＯＳなどの撮像素子２２が設けられている。撮像素子２２は、撮像面上に結像されている被写体像を撮像し、被写体像の明るさに応じた光電変換信号（撮像信号）を制御回路２３に出力する。撮像素子２２の撮像面には、それぞれＲ（赤）、Ｇ（緑）およびＢ（青）のカラーフィルタが画素位置に対応するように設けられている。
【００１２】
制御回路２３はマイクロプロセッサおよびその周辺回路等により構成されており、補助記憶装置であるフラッシュメモリ２７に格納されている所定の制御プログラムを実行することにより、デジタルカメラ１の各部の制御を行う。制御回路２３は、撮像素子２２から出力された撮像信号に種々の画像処理を行って画像データを生成し、主記憶装置であるＤＲＡＭ２６に一時的に格納する。制御回路２３は生成された画像データを、例えば可搬性の記憶媒体であるメモリカード２４に記憶させたり、液晶パネル１１に表示させたりする。
【００１３】
制御回路２３に接続される操作部２５は、図１に示した電源スイッチ１３やレリーズスイッチ１４、操作部材１５等を有しており、これらの各部が利用者により操作されたことに応じて、対応する操作信号を制御回路２３に出力する。制御回路２３は、例えばレリーズスイッチ１４に対応する操作信号が入力されたことに応じて被写体像の撮像を行うなど、入力された操作信号に応じて種々の処理を実行する。
【００１４】
本実施形態のデジタルカメラ１は、静止画の撮影に際し、利用者の個人認証を行い、特定の利用者であることが認証されない限り静止画を撮影させないセキュリティ機能を有する。以下、このセキュリティ機能について詳述する。
【００１５】
デジタルカメラ１においてセキュリティ機能を利用するためには、利用者は予め認証情報を登録しておく必要がある。本発明における認証情報とは、自身が予め登録された特定の個人であることを証明するために利用者が入力する情報のことである。本実施形態の認証情報は、一般的によく利用されるパスワードではなく、認証用画像の内容に沿ってタッチパネル１２により入力される指等の移動軌跡である。
【００１６】
図３は、認証情報の登録手順を模式的に示す図である。例えばメニュー画面から「認証情報の登録」という項目を選択する等の方法により、デジタルカメラ１に認証情報の登録プロセスを開始させると、液晶パネル１１には図３（ａ）に示す画面４０が表示される。画面４０には、認証用画像４１と、認証用画像４１に重畳して表示された決定ボタン４２が含まれている。
【００１７】
認証用画像４１は、予めフラッシュメモリ２７に記憶されている画像である。制御回路２３は認証情報の登録プロセスにおいて、認証用画像４１をフラッシュメモリ２７から読み出し、液晶パネル１１に表示する。利用者はタッチパネル１２に指等の一点を接触させ、接触状態を保ったまま、液晶パネル１１に表示された認証用画像４１の内容に沿って指等を移動させる。その一例を、図３（ｂ）〜図３（ｄ）に示す。
【００１８】
図３（ｂ）には、利用者がその指４３を節点４４に接触させた様子を、図３（ｃ）には利用者が指４３をタッチパネル１２に接触した状態を保ったまま、その指４３を認証用画像４１のエッジに沿って矢印４５で示す方向（下方向）へ節点４６まで移動させた様子を、図３（ｄ）には更に、節点４８まで矢印４７の方向（右方向）へ移動させた後、節点５０まで矢印４９の方向（上方向）へ移動させた様子を、それぞれ示している。図３（ｂ）〜図３（ｄ）のように利用者が接触状態を保ったまま接触位置を移動させると、制御回路２３は認証用画像４１に重畳して接触位置の移動軌跡５１を図３（ｂ）〜図３（ｄ）のように描画する。描画された移動軌跡５１は、図３（ｅ）のように、利用者が接触状態を解除した後も液晶パネル１１に表示され続ける。
【００１９】
利用者は、図３（ｅ）の画面４０を見て、移動軌跡５１が望み通りのものになったかを確認する。移動軌跡５１が意図していたものと異なる場合には、図３（ｂ）〜図３（ｅ）に示す操作を再度行い、意図していた移動軌跡５１が画面４０に描画されるまでこれを繰り返す。制御回路２３は、図３（ｅ）の状態で再度タッチパネル１２に接触されると、その時点での移動軌跡５１を消去し、初めから移動軌跡５１の入力をやり直す。つまり、図３（ｂ）の状態に戻る。
【００２０】
意図していた通りの移動軌跡５１が画面４０に描画されていた場合、図３（ｆ）に示すように、利用者は指４３等で決定ボタン４２を押下する。制御回路２３は決定ボタン４２が押下されると、入力された移動軌跡５１の情報を認証情報としてフラッシュメモリ２７に記憶する。
【００２１】
図４は、認証情報の詳細を示す図である。図４では、認証用画像４１の内容を破線で示し、認証情報を構成する節点４４，４６，４８，５０および各節点を連結する複数の直線５１，５２，５３を実線で示している。また、各節点の近傍に表記された２つの整数のペアは、認証用画像４１の左下隅を原点とした座標系における当該節点の座標を表している。
【００２２】
本実施形態の制御回路２３は、利用者が図３に示すように移動軌跡５１を入力した場合、図４に示す各節点４４，４６，４８，５０の座標と、各節点からその次の節点までの直線がそれぞれ成す角度を、認証情報としてフラッシュメモリ２７に記憶する。なお、本実施形態では移動軌跡５１は複数の節点とそれらの各節点を連結する直線から成るとしている。従って、各節点の座標と各節点間の直線の角度が記憶されていれば、元の移動軌跡５１を復元することができる。
【００２３】
認証情報がフラッシュメモリ２７に記憶されている場合、制御回路２３は利用者が静止画の撮影機能を利用する際、利用者の個人認証を行い、その利用者が特定の利用者であるか否かを判定する。以下、この判定の手順について説明する。
【００２４】
例えば操作部材１５の操作などにより、利用者が静止画の撮影機能の利用をデジタルカメラ１に指示すると、制御回路２３は図３（ａ）と同様に、液晶パネル１１に認証用画像４１を表示する。利用者は図３（ｂ）〜図３（ｅ）と同様に移動軌跡５１を入力し、図３（ｆ）と同様に決定ボタン４２を押下する。制御回路２３は決定ボタン４２の押下に応じて、入力された移動軌跡５１とフラッシュメモリ２７に記憶されている認証情報とを比較する。そして、これらが一致していれば、その利用者が前述した「特定の利用者」であると判定し、個人認証は成功する。この場合、制御回路２３は静止画の撮影機能の利用を許可する。他方、入力された移動軌跡５１と認証情報とが一致しなかった場合、個人認証は失敗し、制御回路２３は利用者に静止画の撮影機能を利用させない。
【００２５】
なお、利用者がどのような移動軌跡５１を入力したのかを隠すため、個人認証の際、移動軌跡５１を液晶パネル１１に表示しないようにしてもよい。認証情報の登録時についても同様である。
【００２６】
図５は、認証情報の登録処理のフローチャートである。まずステップＳ１００では制御回路２３が、所定の認証用画像４１をフラッシュメモリ２７から読み出して液晶パネル１１に表示する。ステップＳ１１０では制御回路２３によって、利用者がタッチパネル１２の１点に接触したか否かが判定される。制御回路２３はタッチパネル１２が接触状態となる（利用者がタッチパネル１２の１点に接触する）までステップＳ１１０を繰り返し、接触状態になるとステップＳ１２０に進む。
【００２７】
ステップＳ１２０では、制御回路２３がタッチパネル１２の出力（現在の接触位置）をＤＲＡＭ２６に記憶する。すなわち、タッチパネル１２の接触位置を順次記憶することにより、タッチパネル１２の接触位置の移動軌跡５１を記憶する。ステップＳ１３０では制御回路２３によって、タッチパネル１２の接触状態が解除されたか否かが判定される。利用者がタッチパネル１２から指を離した等、タッチパネル１２の接触状態が解除された場合にはステップＳ１４０に進む。他方、タッチパネル１２が継続して接触状態である場合にはステップＳ１２０に戻り、引き続き移動軌跡５１を記憶する。ステップＳ１５０では制御回路２３が、図４で示したように、移動軌跡５１を構成する各節点の座標と各節点間の直線の角度を認証情報としてフラッシュメモリ２７に記憶する。
【００２８】
図６は、個人認証処理のフローチャートである。ステップＳ２００からステップＳ２４０までの処理は、図５に示した認証情報の登録処理のステップＳ１００からステップＳ１４０までと同一である。すなわち、制御回路２３が認証用画像４１を液晶パネル１１に表示し、利用者によりタッチパネル１２から入力された移動軌跡５１をＤＲＡＭ２６に記憶する。利用者が決定ボタン４２を押下するとステップＳ２５０に進む。制御回路２３はステップＳ２５０において、ＤＲＡＭ２６に記憶した移動軌跡５１と、フラッシュメモリ２７に記憶されている認証情報とが一致するか否かを判定する。一致しなかった場合、すなわち個人認証が失敗した場合、処理はステップＳ２１０に戻り、利用者から再度移動軌跡５１の入力を受け付ける。他方、入力された移動軌跡５１と認証情報とが一致した場合、すなわち個人認証が成功した場合には図６の処理を終了し、制御回路２３は利用者に静止画の撮影機能の利用を許可する。
【００２９】
上述した第１の実施の形態によるデジタルカメラ１によれば、次の作用効果が得られる。
（１）制御回路２３は、所定の認証用画像４１を液晶パネル１１に表示し、利用者が液晶パネル１１の１点に接触し接触状態を維持したまま認証用画像４１の内容に沿って接触位置を変更した後に接触状態を解除した場合に、タッチパネル１２により検知されたその１点を始点とする接触位置の移動軌跡５１が所定の軌跡と一致するか否かを判定することにより利用者の個人認証を行う。このようにしたので、パスワードより覚えやすく入力も容易な移動軌跡という認証情報を用いた、利用者にとって使いやすい個人認証装置を提供することができる。
【００３０】
（２）制御回路２３は、利用者が液晶パネル１１の１点に接触し、接触状態を維持したまま認証用画像４１のエッジに沿って接触位置を変更した後に接触状態を解除した場合に、タッチパネル１２により検知されたその１点を始点とする接触位置の移動軌跡を用いて個人認証を行う。このようにしたので、利用者は移動軌跡５１の入力を容易に行うことができる。
【００３１】
（第２の実施の形態）
本発明を適用した第２の実施の形態のデジタルカメラは、第１の実施の形態のデジタルカメラと同様の構成を有するが、認証用画像が複数ある点が第１の実施の形態とは異なる。以下、この第２の実施の形態における認証情報の登録処理および個人認証処理について説明する。なお、以下の説明において、第１の実施の形態と同様の各部については、第１の実施の形態と同一の符号を付し説明を省略する。
【００３２】
本実施形態のフラッシュメモリ２７には、第１の実施形態とは異なり、複数の認証用画像が記憶されている。認証情報の登録の際、利用者はこれら複数の認証用画像からいずれか１つを選択して移動軌跡５１を入力する。個人認証の際、制御回路２３はこれら複数の認証用画像を提示し、利用者にいずれか１つを選択させる。そして、移動軌跡５１のみならず、選択された認証用画像が認証情報の登録時と一致しない場合にも、認証失敗とする。すなわち、本実施形態において、認証情報には複数の認証用画像からいずれかを特定するための情報（例えば複数の認証用画像の各々に割り当てられた番号など）が含まれる。
【００３３】
なお、複数の認証用画像の選択方法はどのようなものであってもよい。例えば、複数の認証用画像をサムネイル形式で一覧表示し、利用者がその中からいずれかを選択するものであってもよい。また、各々の認証用画像を液晶パネル１１の表示領域全体に表示させ、利用者がタッチパネル１２へのスライド操作等により表示される認証用画像を次々に切り替えることができるようにし、目的の認証用画像が表示されているときに認証用画像の決定ボタンを押下するようにしてもよい。更に、複数の認証用画像の表示順序が認証を行う度に異なるようにしてもよい。
【００３４】
図７は、第２の実施形態に係る制御回路２３による、認証情報の登録処理のフローチャートである。まずステップＳ３００では制御回路２３が、利用者による認証用画像４１の選択入力をタッチパネル１２や操作部２５から受け付ける。ステップＳ３１０では制御回路２３が、ステップＳ４００で選択された認証用画像４１を液晶パネル１１に表示する。ステップＳ３２０からステップＳ３５０の処理は、図５のステップＳ１１０からステップＳ１４０までの処理と同様であるため説明を省略する。ステップＳ３６０において制御回路２３は、ステップＳ３００で選択された認証用画像４１を特定するための情報と、ＤＲＡＭ２６に記憶された移動軌跡５１とを認証情報としてをフラッシュメモリ２７に記憶する。
【００３５】
図８は、第２の実施形態に係る制御回路２３による、個人認証処理のフローチャートである。まずステップＳ４００では制御回路２３が、利用者による認証用画像４１の選択入力をタッチパネル１２や操作部２５から受け付ける。ステップＳ４１０では制御回路２３が、ステップＳ４００で選択された認証用画像４１を液晶パネル１１に表示する。ステップＳ４２０からステップＳ４５０の処理は、図７のステップＳ３１０からステップＳ３５０までの処理と同様であるため説明を省略する。制御回路２３はステップＳ４６０において、ステップＳ４００において選択された認証用画像４１およびＤＲＡＭ２６に記憶した移動軌跡５１が、フラッシュメモリ２７に記憶されている認証情報と一致するか否かを判定する。一致しなかった場合、すなわち個人認証が失敗した場合、処理はステップＳ４２０に戻り、利用者から再度移動軌跡５１の入力を受け付ける。他方、選択された認証用画像４１および入力された移動軌跡５１が認証情報と一致した場合、すなわち個人認証が成功した場合には図８の処理を終了し、制御回路２３は利用者に静止画の撮影機能の利用を許可する。
【００３６】
上述した第２の実施の形態によるデジタルカメラ１によれば、次の作用効果が得られる。
（１）制御回路２３は、フラッシュメモリ２７に記憶されている複数の認証用画像のうち、利用者により選択された認証用画像４１を液晶パネル１１に表示し、利用者により選択された認証用画像４１が認証情報により特定される所定の認証用画像であり、且つタッチパネル１２により検知された移動軌跡５１を構成する各節点の座標が認証情報に含まれる移動軌跡と一致するか否かを判定することにより、利用者の個人認証を行う。このようにしたので、より強固なセキュリティを実現することができる。
【００３７】
次のような変形も本発明の範囲内であり、変形例の一つ、もしくは複数を上述の実施形態と組み合わせることも可能である。
【００３８】
（変形例１）
移動軌跡５１の比較は、必ずしも厳密に行われなくてもよい。例えば図４において、節点４４の座標は（９０，２７８）であるが、個人認証時に入力された移動軌跡５１の始点がこれと完全に同一でない場合には認証失敗とするのではなく、（９０，２７８）を中心とする半径５の円に含まれていれば（少なくともこの節点４４については）一致したと見なしてもよい。各節点間の直線の角度について同様である。
【００３９】
また、個人認証時に入力された移動軌跡５１の始点が節点４４から離れた位置にある場合であっても、節点４４と節点４６の間の直線５１上に当該始点が存在し且つ当該始点から節点４６までの直線が成す角度がフラッシュメモリ２７に記憶された節点４４から節点４６までの直線が成す角度と同一であれば、（少なくとも節点４４から節点４６までについては）一致したと見なしてもよい。終点についても同様である。つまり移動軌跡について、複数の節点のうち始点および終点を除く各節点の位置がそれぞれ認証情報の登録時に入力された位置であり、且つ始点からその次の節点までと終点からその前の節点までの直線とがそれぞれ認証情報の登録時に入力された角度と一致する場合に、個人認証に成功したと判定してもよい。
【００４０】
また、移動軌跡５１の記憶形態や比較の方法は、上述したものに限定されない。例えば、移動軌跡５１が曲線を含んでいてもよいし、節点と節点間を連結する直線に限定せず、１ピクセルずつ記憶して完全な比較を行ってもよい。
【００４１】
（変形例２）
認証用画像がフラッシュメモリ２７に予め記憶されているのではなく、メモリカード２４に格納されている利用者が撮影した撮影画像を認証用画像として用いるようにしてもよい。また、第２の実施の形態のように、複数の認証用画像が存在する場合にも同様に、メモリカード２４に格納されている複数の撮影画像を複数の認証用画像として用いるようにしてもよい。このような場合において、認証用画像とする撮影画像がフラッシュメモリ２７に複製されるようにしてもよいし、メモリカード２４に格納されている撮影画像が直接認証用画像として利用されるようにしてもよい。
【００４２】
（変形例３）
認証情報の登録時や個人認証時において、決定ボタン４２は必ずしも必要ではない。例えば、タッチパネル１２への接触状態が解除された時点で移動軌跡５１を認証情報として記憶したり、移動軌跡５１と認証情報とを比較するようにしてもよい。
【００４３】
（変形例４）
上述した各実施の形態では、移動軌跡５１はいわゆる一筆書きの軌跡を前提としていた。すなわち、指等が一旦タッチパネル１２に接触された後、接触状態が解除されるまでの移動軌跡５１を扱っていた。本発明はこのような移動軌跡５１に限定されず、連続でない複数の軌跡から成る移動軌跡５１を扱う事も可能である。
【００４４】
（変形例５）
１つの認証用画像に対して複数の認証情報（移動軌跡５１）が記憶されるようにしてもよい。この場合、制御回路２３は、各々の移動軌跡５１に対してそれぞれ異なる権限を割り当てることが可能である。例えば、２種類の移動軌跡５１が登録されているときに、第１の移動軌跡が入力された場合には第１の機能の利用を許可し、第２の移動軌跡が入力された場合には第２の機能の利用を許可するように制御回路２３を構成することができる。また、複数の認証用画像の各々に対して別個の移動軌跡５１が記憶されるようにすることも可能である。
【００４５】
（変形例６）
制御回路２３が認証用画像４１を表示する際、周知のエッジ強調処理やエッジ抽出処理などの画像処理を行ってから認証用画像４１を表示するようにしてもよい。制御回路２３がこのような処理を実行することによって、利用者は認証用画像４１のエッジに沿った移動軌跡５１の入力を行いやすくなる。
【００４６】
（変形例７）
本発明は上述した各実施形態のように、デジタルカメラにのみ適用されるものではなく、これ以外の種々の機器に対しても適用することが可能である。例えば、タッチパネルを備えた携帯電話や電子手帳などの可搬電子機器、自動現金預払機やいわゆるキオスク端末などの据置型の通信端末に対して本発明を適用することも可能である。また、個人認証により保護される対象も、上述した静止画の撮影機能の利用のような、特定の機能の利用可否に限定されない。例えば、所定のデータ（撮影画像など）へのアクセス権限の制御や機能設定のパーソナライズに対しても本発明を適用することが可能である。
【００４７】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００４８】
１…デジタルカメラ、１１…液晶パネル、１２…タッチパネル、１３…電源スイッチ、１４…レリーズスイッチ、１５…操作部材、２１…結像光学系、２２…撮像素子、２３…制御回路、２４…メモリカード、２５…操作部、２６…ＤＲＡＭ、２７…フラッシュメモリ
【図１】
0005998474.tif 000002
【図２】
0005998474.tif 000003
【図３】
0005998474.tif 000004
【図４】
0005998474.tif 000005
【図５】
0005998474.tif 000006
【図６】
0005998474.tif 000007
【図７】
0005998474.tif 000008
【図８】
0005998474.tif 000009